(57)【要約】  【課題】  独立した部品としての導体スペーサを不要にして部品点数の削減と組立工数の削減を図る。  【解決手段】  母線導体への分岐電線の接続構造は、平行する２枚の母線導体１，２の間に導体スペーサを介在させて分岐電線３の接続端子４を母線導体１，２に重ね合せてこれら母線導体１，２と接続端子４に設けたボルト挿通孔７にボルト５を挿通して該ボルト５の先端に螺合したナット６で前記２枚の母線導体１，２と分岐電線３を締着するようになっている。前記接続端子４の肉厚を前記平行する２枚の母線導体１，２の間の隙間と略同じ値に形成することにより前記接続端子４に導体スペーサの機能を持たせた。  【選択図】  図２
2006087255.tif 000002
【特許請求の範囲】
【請求項１】
平行する２枚の母線導体の間に導体スペーサを介在させて分岐電線の接続端子を母線導体に重ね合せてこれら母線導体と接続端子に設けたボルト挿通孔にボルトを挿通して該ボルトの先端に螺合したナットで前記２枚の母線導体と分岐電線を接続する母線導体への分岐電線の接続構造において、
前記接続端子の肉厚を前記平行する２枚の母線導体の間の隙間と略同じ値に形成することにより前記接続端子に前記導体スペーサの機能を持たせたことを特徴とする母線導体への分岐電線の接続構造。
【請求項２】
平行する２枚の母線導体の間に第１の分岐電線の接続端子を挿入し、前記２枚の母線導体の外側面にそれぞれ第２，第３の分岐電線の接続端子を重ね合わせて、これら第１〜第３の分岐電線をボルトとナットで前記２枚の母線導体に接続したことを特徴とする請求項１に記載の母線導体への分岐電線の接続構造。
【発明の詳細な説明】
【技術分野】
【０００１】
本発明は、主回路導体等の母線導体に分岐電線を接続するための分岐電線の接続構造に関するものである。
【背景技術】
【０００２】
配電盤等において母線導体に分岐電線を接続する構造として、図６に示すように、母線導体１０１にボルト挿通孔１０２を形成すると共に、分岐電線１０３の端部に接続端子１０４を取付け、該接続端子１０４を母線導体１０１に重ね合わせて、該接続端子１０４に設けたボルト挿通孔１０５の位置を前記母線導体１０１にボルト挿通孔１０２の位置に合わせた状態で母線導体１０１に接続端子１０４を重ね合わせてボルト１０６とナット１０７で締着する構造になっている。（特許文献１）
また、図７に示すように、平行する２枚の母線導体２０１，２０２に分岐電線２０３を接続する場合としては、２枚の母線導体２０１，２０２の間に導体スペーサ２０４を介在させた状態で前記分岐電線２０３のリング状（鳩目状）の接続端子２０５を一方の母線導体２０１の表面に重ね合せてボルト２０６とナット２０７で締着する構造が知られている。図７、図８は、一方の母線導体２０１の外側面に１本の分岐電線２０３の接続端子２０５を重ね合わせて１本のボルト２０６で１本の分岐電線２０３を接続した場合を示す。図９は、両方の母線導体２０１，２０２の外側面にそれぞれ１本づつ分岐電線２０３を重ね合わせて１本のボルト２０６とナット２０７で２本の分岐電線２０３を接続した場合を示す。
【特許文献１】実開平６−５２３０４号公報（段落０００３等）
【発明の開示】
【発明が解決しようとする課題】
【０００３】
ところで、上記分岐電線の接続構造、特に、図７〜図９に示す平行する２枚の母線導体２０１，２０２に分岐電線２０３を接続する場合には次に述べるような問題点があった。
（１）独立した部品としての導体スペーサ２０４を使用するためにその分、部品点数が増え、コストが高くなる。また、２枚の母線導体２０１，２０２の間への導体スペーサ２０４の挿入作業と、母線導体２０１，２０２の表面への分岐電線２０３の接続端子２０４の重ね合せ作業を別々に行なわなければならないために接続作業能率が悪い。
（２）導体スペーサ２０４を１本のボルト２０６で取付けると、該ボルト２０６を中心にして導体スペーサ２０４が回動してしまう虞がある。回動を防止するためには図１０に示すように、回動阻止用のボルト２０８等を使用するなどして導体スペーサ２０４の回動を阻止する必要がある。
（３）図９に示すように１本のボルト２０６で２本の分岐電線２０３を接続することができるが、３本の分岐電線２０３を接続することは難しい。何故ならば２枚の母線導体２０１，２０２の間には導体スペーサ２０４を介在させているので、２枚の母線導体２０１，２０２の間に３本目の分岐電線２０３を接続することが難しいからである。
【０００４】
本願発明の目的は、平行する２枚の母線導体に分岐電線を接続する場合において、独立した部品としての導体スペーサを使用することなく導体スペーサを使用したのと略同様に分岐電線を接続することのできる分岐電線の接続構造を提供することにある。
【０００５】
また、本願発明の他の目的は、１本のボルトで分岐電線を接続した場合でも導体スペーサの回動を阻止することのできる分岐電線の接続構造を提供することにある。
【０００６】
更に、本願発明の他の目的は、１本のボルトで３本の分岐電線の接続を容易に行なうことのできる分岐電線の接続構造を提供することにある。
【課題を解決するための手段】
【０００７】
請求項１の発明は、平行する２枚の母線導体の間に導体スペーサを介在させて分岐電線の接続端子を母線導体に重ね合せてこれら母線導体と接続端子に設けたボルト挿通孔にボルトを挿通して該ボルトの先端に螺合したナットで前記２枚の母線導体と分岐電線を接続する母線導体への分岐電線の接続構造において、
前記接続端子の肉厚を前記平行する２枚の母線導体の間の隙間と略同じ値に形成することにより前記接続端子に前記導体スペーサの機能を持たせた。
【０００８】
請求項２の発明は、請求項１の母線導体への分岐電線の接続構造において、
平行する２枚の母線導体の間に第１の分岐電線の接続端子を挿入し、前記２枚の母線導体の外側面にそれぞれ第２，第３の分岐電線の接続端子を重ね合わせて、これら第１〜第３の分岐電線をボルトとナットで前記２枚の母線導体に接続した。
【発明の効果】
【０００９】
（１）請求項１の発明は、分岐電線の接続端子に導体スペーサとしての機能を持たせたので、その分、部品点数の削減を図ることができる。また、２枚の母線導体の間に分岐電線の接続端子を挿入すれば、これら２枚の母線導体の間に導体スペーサが挿入されたのと同じ状態になると共に、分岐電線の接続端子が母線導体に重ね合わさせた状態になるので、従来の２枚の母線導体の間に導体スペーサを挿入する作業と分岐電線の接続端子を母線導体に重ね合わせる作業が同時に行なわれることになり、接続作業能率の向上を図ることができる。また、分岐電線の接続端子と導体スペーサを一体化したので、一本のボルトで分岐電線を取付けた場合でも導体スペーサが回動するのを分岐電線で阻止することができる。
（２）請求項２の発明は、１本のボルトで３本の分岐電線を２枚の母線導体に接続することができ、従来の分岐電線の接続構造に比べて１本のボルトで２枚の母線導体に接続できる分岐電線の本数を容易に増やすことができる。
【発明を実施するための最良の形態】
【００１０】
図１は本発明の分岐電線の接続構造を示す斜視図、図２は分解斜視図、図３は図１のＡ−Ａ断面図であり、具体的には配電盤の主回路導体に電源分岐線を接続する場合を示す。
【００１１】
図１に示すように、配電盤の主回路導体としての平行な２枚の母線導体１，２の間の隙間δに分岐電線３の接続端子４が挿入され、該分岐電線３の接続端子４と前記２枚の母線導体１，２は、ボルト５とナット６によって結合されている。
【００１２】
図２に示すように、前記接続端子４は、略四角形状に形成されていて中央部に前記ボルト５の軸部５ａを挿通させるボルト挿通孔７を備えている。前記接続端子４の肉厚Ｔは、前記隙間δと同じか若干薄目（Ｔ≦δ）に形成されて、導体スペーサとしての機能を有するようになっている。
【００１３】
次に、接続方法について説明する。先ず前記２枚の母線導体１，２の間の隙間δに前記分岐電線３の接続端子４を挿入し、該接続端子４に設けたボルト挿通孔７の位置を前記２枚の母線導体１，２の対向面に設けたボルト挿通孔８の位置に合わせる。そして、前記ボルト５の軸部５ａを、例えば一方の母線導体１の側方から該母線導体１のボルト挿通孔８、前記接続端子４のボルト挿通孔７、他方の母線導体２のボルト挿通孔８に順次挿入していき、その先端を、他方の母線導体２の側面から突出させる。そして、前記ボルト５の軸部５ａの先端にナット６を螺合して締め付けを行なえば、図３に示すように、前記ボルト５の頭部５ｂと前記ナット６の間で前記２枚の母線導体１，２および前記分岐電線３の接続端子４が挟着されて２枚の母線導体１，２と分岐電線３の接続端子４は確実に接続された状態になる。
【００１４】
また、図４に示すように、前記２枚の母線導体１，２に２本の分岐電線３を接続する場合には、先ず２枚の母線導体１，２の間の隙間δに第１の分岐電線３の接続端子４を挿入した後に、前記２枚の母線導体１，２の一方の母線導体１の外側面に第２の分岐電線３を重ね合わせてボルト５とナット６で締め付けを行なえばよい。また、図５に示すように、前記２枚の母線導体１，２に３本の分岐電線３を接続する場合には、先ず２枚の母線導体１，２の間の隙間δに第１の分岐電線３の接続端子４を挿入した後に、前記２枚の母線導体１，２の外側面に第２の分岐電線３と第３の分岐電線３をそれぞれ重ね合わせてボルト５とナット６で締め付けを行なえばよい。
【図面の簡単な説明】
【００１５】
【図１】本発明の分岐電線の接続構造を示す斜視図
【図２】分解斜視図
【図３】図１のＡ−Ａ断面図
【図４】２本の分岐電線を接続した状態の断面図
【図５】３本の分岐電線を接続した状態の断面図
【図６】従来例の断面図
【図７】他の従来例の斜視図
【図８】図７のＡ−Ａ断面図
【図９】２本の分岐電線を接続した状態の断面図
【図１０】導体スペーサの回動を阻止するボルトを取付けた状態の斜視図
【符号の説明】
【００１６】
１，２…平行な２枚の母線導体
３…分岐電線
４…接続端子
５…ボルト
６…ナット
７，８…ボルト挿通孔
【図１】
2006087255.tif 000003
【図２】
2006087255.tif 000004
【図３】
2006087255.tif 000005
【図４】
2006087255.tif 000006
【図５】
2006087255.tif 000007
【図６】
2006087255.tif 000008
【図７】
2006087255.tif 000009
【図８】
2006087255.tif 000010
【図９】
2006087255.tif 000011
【図１０】
2006087255.tif 000012